(57)【要約】      （修正有）【課題】検出期間内に発生する粒子検出器の事象を粒子事象処理部に通知するためのシステム、方法、および不揮発性コンピュータ読み取り可能な記憶デバイスを提供する。【解決手段】システム、方法、および不揮発性コンピュータ読み取り可能な記憶デバイスは粒子事象センサ１１２により検出され、検出期間中に粒子検出器内で発生する事象を表すセンサデータセット１１４を生成することを含む。システム、方法、および不揮発性コンピュータ読み取り可能な記憶デバイスはまた圧縮されたセンサデータセットを生成するための波形圧縮技術でのセンサデータセットの圧縮、および圧縮されたセンサデータセットの粒子事象処理部への伝送を含む。【選択図】図１
2015187608.tif 000002
【特許請求の範囲】
【請求項１】
検出期間中に粒子検出器（１０２、２０２、４０２、５０２、６０２）内で発生する事象（１０４、２０４、５０４）を粒子事象処理部（１２４、２２４、５２４、６２４）に通知するためのシステムであって、
前記検出期間中に前記粒子検出器（１０２、２０２、４０２、５０２、６０２）内で発生する前記事象（１０４、２０４、５０４）を表すセンサデータセット（１１４、２１４、５１４）を生成する粒子事象センサ（１１２、２１２、５１２）と、
データセット送信機（２２６、５２６、６２６）であって、
圧縮されたセンサデータセット（２３０、５３０、６３０）を生成するため波形圧縮技術（２２８、５２８、６２８）で前記センサデータセットを圧縮し、および、
前記圧縮されたセンサデータセット（２３０、５３０、６３０）を前記粒子事象処理部（１２４、２２４、５２４、６２４）に送信する、
データセット送信機（２２６、５２６、６２６）と、
を備えるシステム。
【請求項２】
前記波形圧縮技術（２２８、５２８、６２８）は離散コサイン変換を備える、請求項１に記載のシステム。
【請求項３】
前記システムは前記システムおよび前記粒子事象処理部（１２４、２２４、５２４、６２４）との間に通信チャネル（１２２、２２２、６２２）をさらに備え、前記通信チャネル（１２２、２２２、６２２）は前記圧縮されたセンサデータセット（２３０、５３０、６３０）を準リアルタイムで送信することが可能であり、および前記センサデータセットを準リアルタイムで送信することが可能ではなく、および、
前記圧縮されたセンサデータセット（２３０、５３０、６３０）を送信することは前記圧縮されたセンサデータセット（２３０、５３０、６３０）を前記通信チャネル（１２２、２２２、６２２）を介して前記粒子事象処理部（１２４、２２４、５２４、６２４）へ送信することをさらに備える、請求項１に記載のシステム。
【請求項４】
前記粒子事象処理部（１２４、２２４、５２４、６２４）が、
前記検出期間中に前記圧縮されたセンサデータセット（２３０、５３０、６３０）を受信すると、前記圧縮されたセンサデータセット（２３０、５３０、６３０）を格納するデータストア（５５２）と、
粒子事象処理部（１２４、２２４、５２４、６２４）であって、前記検出期間中に前記粒子検出器（１０２、２０２、４０２、５０２、６０２）内で発生する前記事象（１０４、２０４、５０４）を識別するための要求を受信すると、
前記データストア（５５２）から前記圧縮されたセンサデータセット（２３０、５３０、６３０）を取得し、
前記波形圧縮技術（２２８、５２８、６２８）を使用して、前記粒子事象センサ（１１２、２１２、５１２）により生成されたセンサデータセットを取得するために前記圧縮されたセンサデータセット（２３０、５３０、６３０）を伸長し、および
前記検出期間中に前記粒子検出器（１０２、２０２、４０２、５０２、６０２）内で発生する前記事象（１０４、２０４、５０４）を識別するために前記センサデータセットを評価する、
粒子事象処理部（１２４、２２４、５２４、６２４）と、
を備える請求項１に記載のシステム。
【請求項５】
前記粒子事象処理部（１２４、２２４、５２４、６２４）はそれぞれの事象に対して前記事象（１０４、２０４、５０４）の事象タイプをさらに決定し、前記事象タイプは、
中性子パルス事象タイプと、
ガンマパルス事象タイプと、
を備える事象タイプセットから選択される、請求項４に記載のシステム。
【請求項６】
前記粒子事象処理部（１２４、２２４、５２４、６２４）は前記センサデータセットから、
前記中性子パルス事象タイプのそれぞれの事象に対して前記事象（１０４、２０４、５０４）のための第１のセンサデータセット部分を備え、および、
前記ガンマパルス事象タイプのそれぞれの事象に対して前記事象（１０４、２０４、５０４）のための第２の事象センサデータセットを除外する、
粒子事象データセットをさらに生成する、請求項５に記載のシステム。
【請求項７】
前記粒子事象処理部（１２４、２２４、５２４、６２４）は、
ウェーブレット変換技術と、
ゼロ交差時間変換技術と、
パルス幅比技術と、
立ち上がり時間解析技術と、
電苛時間積分技術と、
崩壊時間技術と、
パターン認識技術と、
基準パルス比較技術と、
人工ニューラルネットワーク技術と、
を備える事象評価技術セットから選択された少なくとも１つの事象評価技術を使用して前記センサデータセットを評価する請求項４に記載のシステム。
【請求項８】
前記粒子事象処理部（１２４、２２４、５２４、６２４）は前記波形圧縮技術（２２８、５２８、６２８）で前記圧縮されたセンサデータセット（２３０、５３０、６３０）を伸長した後、少なくとも２つのデータセットフィルタ（６６０、６６８）を備えるデータセットフィルタセット（６５８）から選択される選択されたデータセットフィルタ（６６０、６６８）で前記センサデータセットをフィルタリングする請求項４に記載のシステム。
【請求項９】
それぞれのデータセットフィルタ（６６０、６６８）は少なくとも１つの粒子検出器（１０２、２０２、４０２、５０２、６０２）の状態に関連し、および、
前記システムは、
現在の粒子検出器（１０２、２０２、４０２、５０２、６０２）の状態を検出するために前記センサデータセットを評価し、および、
前記データセットフィルタセット（６５８）から、前記現在の粒子検出器（１０２、２０２、４０２、５０２、６０２）の状態に関連付けされる選択されたデータセットフィルタ（６６０、６６８）を選択する、
事象フィルタセレクタ（６６６）を備える、請求項８に記載のシステム。
【請求項１０】
それぞれが少なくとも１つのデータセットフィルタ（６６０、６６８）に関連付けされる前記粒子検出器（１０２、２０２、４０２、５０２、６０２）の状態は、
粒子エネルギーレベル状態と、
放射線流入率状態と、
を備える粒子検出器（１０２、２０２、４０２、５０２、６０２）の状態セットから選択される請求項９に記載のシステム。
【請求項１１】
検出期間中に粒子検出器（１０２、２０２、４０２、５０２、６０２）内に生じる事象（１０４、２０４、５０４）を粒子事象処理部（１２４、２２４、５２４、６２４）に通知する方法であって、
粒子事象センサ（１１２、２１２、５１２）により検出され検出期間中に粒子検出器（１０２、２０２、４０２、５０２、６０２）内で発生する事象を表すセンサデータセット（１１４、２１４、５１４）を生成するステップと、
圧縮されたセンサデータセット（２３０、５３０、６３０）を生成するために波形圧縮技術（２２８、５２８、６２８）で前記センサデータセットを圧縮するステップと、
前記圧縮されたセンサデータセット（２３０、５３０、６３０）を前記粒子事象処理部（１２４、２２４、５２４、６２４）に送信するステップと、
を備える方法。
【請求項１２】
前記波形圧縮技術（２２８、５２８、６２８）は離散コサイン変換を備え、
前記方法は準リアルタイムで前記圧縮されたセンサデータセット（２３０、５３０、６３０）を送信することが可能であり、および準リアルタイムで前記センサデータセットを送信することが可能ではない通信チャネル（１２２、２２２、６２２）を使用して前記粒子事象処理部（１２４、２２４、５２４、６２４）と通信するデバイス上で実行され、および、
前記圧縮されたセンサデータセット（２３０、５３０、６３０）を送信するステップは前記圧縮されたセンサデータセット（２３０、５３０、６３０）を前記通信チャネル（１２２、２２２、６２２）を介して前記粒子事象処理部（１２４、２２４、５２４、６２４）へ送信するステップをさらに備える、請求項１１に記載の方法。
【請求項１３】
それぞれの事象に対して、前記事象（１０４、２０４、５０４）の事象タイプを決定するステップであって、前記事象タイプは、
中性子パルス事象タイプと、
ガンマパルス事象タイプと、
を備える事象タイプセットから選択される、決定するステップと、
前記センサデータセットから、前記粒子事象データセットを生成するステップであって、
中性子パルス事象タイプのそれぞれの事象に対して、前記事象（１０４、２０４、５０４）のための第１のセンサデータセット部分を備え、
ガンマパルス事象タイプのそれぞれの事象に対して、前記事象（１０４、２０４、５０４）のための第２の事象センサデータセットを除外する、
生成するステップと、
をさらに備える請求項１１に記載の方法。
【請求項１４】
前記検出期間中に前記圧縮されたセンサデータセット（２３０、５３０、６３０）を受信すると、前記圧縮されたセンサデータセット（２３０、５３０、６３０）をデータストア（５５２）に格納するステップと、
前記検出期間中に前記粒子検出器（１０２、２０２、４０２、５０２、６０２）内で発生する前記事象（１０４、２０４、５０４）を識別するための要求を受信すると、
前記圧縮されたセンサデータを前記データストア（５５２）から取得するステップと、
前記波形圧縮技術（２２８、５２８、６２８）を使用して、前記粒子事象センサ（１１２、２１２、５１２）により生成された前記センサデータセットを取得するために前記圧縮されたセンサデータセット（２３０、５３０、６３０）を伸張するステップと、
前記検出期間中に前記粒子検出器（１０２、２０２、４０２、５０２、６０２）内で発生する前記事象（１０４、２０４、５０４）を識別するために前記センサデータセットを評価するステップと、
をさらに備える請求項１１に記載の方法。
【請求項１５】
現在の粒子検出器（１０２、２０２、４０２、５０２、６０２）の状態を検出するために前記センサデータセットを評価するステップと、
少なくとも１つの粒子検出器（１０２、２０２、４０２、５０２、６０２）の状態にそれぞれ関連付けされる少なくとも２つのデータセットフィルタ（６６０、６６８）を備えるデータセットフィルタセット（６５８）から、前記現在の粒子検出器（１０２、２０２、４０２、５０２、６０２）の状態に関連付けされる選択されたデータセットフィルタ（６６０、６６８）を選択するステップと、
前記波形圧縮技術（２２８、５２８、６２８）で前記圧縮されたセンサデータを伸長するステップの後に、前記選択されたデータセットフィルタ（６６０、６６８）で前記センサデータセットをフィルタリングするステップと、
をさらに備える請求項１４に記載の方法。
【請求項１６】
粒子検出器（１０２、２０２、４０２、５０２、６０２）の粒子事象センサ（１１２、２１２、５１２）により検出され、検出期間中に前記粒子検出器（１０２、２０２、４０２、５０２、６０２）内で発生する事象（１０４、２０４、５０４）を表すセンサデータセット（１１４、２１４、５１４）を生成することと、
圧縮されたセンサデータセット（２３０、５３０、６３０）を生成するために波形圧縮技術（２２８、５２８、６２８）で前記センサデータセットを圧縮することと、
前記圧縮されたセンサデータセット（２３０、５３０、６３０）を粒子事象処理部（１２４、２２４、５２４、６２４）に送信することと、
により、
前記粒子検出器（１０２、２０２、４０２、５０２、６０２）の処理部上で実行される際に、前記検出期間中に前記粒子検出器（１０２、２０２、４０２、５０２、６０２）内で発生する前記事象（１０４、２０４、５０４）を前記粒子事象処理部（１２４、２２４、５２４、６２４）に通知するように前記粒子検出器（１０２、２０２、４０２、５０２、６０２）を動作させる命令を備える不揮発性コンピュータ読み取り可能な記憶デバイス（４４２）。
【請求項１７】
前記波形圧縮技術（２２８、５２８、６２８）は離散コサイン変換を備え、
前記粒子検出器（１０２、２０２、４０２、５０２、６０２）は、準リアルタイムで前記圧縮されたセンサデータセット（２３０、５３０、６３０）を送信することが可能であり、および準リアルタイムで前記センサデータセットを送信することが可能ではない通信チャネル（１２２、２２２、６２２）を使用して粒子事象処理部（１２４、２２４、５２４、６２４）と通信を行い、
前記圧縮されたセンサデータセット（２３０、５３０、６３０）を送信することは、前記圧縮されたセンサデータセット（２３０、５３０、６３０）を前記通信チャネル（１２２、２２２、６２２）を介して前記粒子事象処理部（１２４、２２４、５２４、６２４）へ送信することをさらに備える、請求項１６に記載の不揮発性コンピュータ読み取り可能な記憶デバイス（４４２）。
【請求項１８】
前記命令は前記粒子検出器（１０２、２０２、４０２、５０２、６０２）を、
それぞれの事象に対して、前記事象（１０４、２０４、５０４）の事象タイプを決定し、前記事象タイプは事象タイプセットであって、
中性子パルス事象タイプと、
ガンマパルス事象タイプと、
を備える事象タイプセットから選択され、および、
前記センサデータセットから、粒子事象データセットであって、
前記中性子パルス事象タイプのそれぞれの事象に対して、前記事象（１０４、２０４、５０４）のための第１のセンサデータセット部分を備え、
前記ガンマパルス事象タイプのそれぞれの事象に対して、前記事象（１０４、２０４、５０４）のための第２の事象センサデータセットを除外する、
粒子事象データセットを生成する、
ようさらに動作させる請求項１６に記載の不揮発性コンピュータ読み取り可能な記憶デバイス（４４２）。
【請求項１９】
前記命令は前記粒子検出器（１０２、２０２、４０２、５０２、６０２）を、
前記検出期間中に前記圧縮されたセンサデータセット（２３０、５３０、６３０）を受信すると、前記圧縮されたセンサデータセット（２３０、５３０、６３０）をデータストア（５５２）に格納し、
前記検出期間中に前記粒子検出器（１０２、２０２、４０２、５０２、６０２）内で発生する前記事象（１０４、２０４、５０４）を識別するための要求を受信すると、
前記圧縮センサデータセットをデータストア（５５２）から取得し、
前記波形圧縮技術（２２８、５２８、６２８）を使用して、前記粒子事象センサ（１１２、２１２、５１２）により生成された前記センサデータセットを取得するために前記圧縮されたセンサデータセット（２３０、５３０、６３０）を伸長し、および、
前記検出期間中に前記粒子検出器（１０２、２０２、４０２、５０２、６０２）内で発生する前記事象（１０４、２０４、５０４）を識別するために前記センサデータセットを評価する、
ようさらに動作させる請求項１６に記載の不揮発性コンピュータ読み取り可能な記憶デバイス（４４２）。
【請求項２０】
前記命令は前記粒子検出器（１０２、２０２、４０２、５０２、６０２）を、
現在の粒子検出器（１０２、２０２、４０２、５０２、６０２）の状態を検出するために前記センサデータセットを評価し、
少なくとも１つの粒子検出器（１０２、２０２、４０２、５０２、６０２）の状態にそれぞれ関連付けされる少なくとも２つのデータセットフィルタ（６６０、６６８）を備えるデータセットフィルタセット（６５８）から、前記現在の粒子検出器（１０２、２０２、４０２、５０２、６０２）の状態に関連付けされる選択されたデータセットフィルタ（６６０、６６８）を選択し、および、
前記波形圧縮技術（２２８、５２８、６２８）で前記圧縮されたセンサデータセット（２３０、５３０、６３０）を伸長した後に、前記選択されたデータセットフィルタ（６６０、６６８）で前記センサデータセットをフィルタリングする、
ようさらに動作させる請求項１９に記載の不揮発性コンピュータ読み取り可能な記憶デバイス（４４２）。
【発明の詳細な説明】
【技術分野】
【０００１】
本開示は、粒子検出の分野内における事象の追跡に関する。
【背景技術】
【０００２】
粒子検出器は陽子、中性子、電子、およびクォークなどのような粒子の存在、およびガンマ線などのような様々なタイプのエネルギーの放出の事象を検出するように構成されてもよい。多くのこのような粒子検出器は事象を表すセンサデータセットを生成し、およびセンサデータセットを粒子の事象タイプ間で識別するために様々なタイプの評価を実行する粒子事象処理部に送信する粒子事象センサを含む。しかしながら、評価が準リアルタイムで実行される場合、圧縮されていないセンサデータセット全体を粒子事象処理部に送信することは、例えば粒子事象センサおよび粒子事象処理部との間の通信チャネルの帯域幅制限により困難であり得る。したがって、多くのそのような粒子検出器は、中性子の検出を含む唯一の事象などのような粒子タイプの選択されたサブセットを含む事象を表す可能性のあるセンサデータセットの一部などのように、センサデータセットをセットの選択された部分にトリミングするフィルタを適用することにより送信する前にセンサデータを減少させる。フィルタリングされたセンサデータセットは粒子事象処理部への準リアルタイム伝送および準リアルタイム処理を可能にするために十分に低帯域幅であることが多い。
【発明の概要】
【０００３】
以下、本発明のいくつかの例示的な実施形態の基本的な理解を提供するために本発明の簡単な概要を提示する。この概要は本発明の広範な要旨ではない。さらに、この概要は本発明の重要な要素を特定することも、本発明の範囲を線引きすることをも意図するものではない。概要の唯一の目的は後で提示されるより詳細な説明の前置きとして、簡略化した形態で本発明のいくつかの概念を提示することである。
【０００４】
一実施形態によれば、本発明は検出期間中に粒子検出器内で発生する事象を粒子事象処理部に通知するためのシステムを提供する。このような一実施形態では、このシステムは検出期間中に粒子検出器内で発生する事象を表すセンサデータセットを生成する粒子事象センサ、および圧縮されたセンサデータセットを生成するために波形圧縮技術でセンサデータセットを圧縮し、圧縮されたセンサデータセットを粒子事象処理部に送信するデータセット送信機を含む。
【０００５】
別の実施形態によれば、本発明は検出期間中に粒子検出器内で発生する事象を粒子事象処理部に通知する方法を提供する。このような一実施形態では、方法は粒子事象センサにより検出され、検出期間中に粒子検出器内で発生する事象を表すセンサデータセットを生成すること、圧縮されたセンサデータセットを生成するために波形圧縮技術でセンサデータセットを圧縮すること、および圧縮されたセンサデータセットを粒子事象処理部に送信することを含む。
【０００６】
さらに別の実施形態によれば、本発明は粒子検出器に粒子検出器内で発生する事象を粒子事象処理部に通知することを可能にする命令を格納する不揮発性コンピュータ読み取り可能な記憶デバイスを提供する。このような一実施形態では、粒子検出器の処理部上で実行される際、不揮発性コンピュータ読み取り可能な記憶デバイスは粒子検出器に、粒子検出器の粒子事象センサにより検出され、検出期間中に粒子検出器内で発生する事象を表すセンサデータセットを生成させる、圧縮されたセンサデータセットを生成するために波形圧縮技術でセンサデータセットを圧縮させる、および圧縮されたセンサデータセットを粒子事象処理部に送信させる命令を備える。
【０００７】
前述したおよび関連する目的を達成するために、以下の説明および添付の図面は特定の態様および実施形態の例示を記述する。これらは提示された技術の１つまたは複数の態様を具現化するのを示すものであるが種々の方法のうちのいくつかである。本発明の他の態様、利点、および実施形態は添付の図面と併せて考察される際に以下の詳細な説明から明らかになるであろう。
【０００８】
本発明の前述の議論は添付の図面への参照と共に以下の説明を読めば、本発明に関連する技術分野の当業者には明らかになるであろう。
【図面の簡単な説明】
【０００９】
【図１】粒子事象処理部への送信前にセンサデータセットに事象フィルタを適用した例示的な粒子検出器の概略図である。
【図２】本発明の少なくとも１つの実施形態による、粒子事象処理部への送信前にセンサデータセットを圧縮する波形圧縮技術を適用した例示的な粒子検出器の概略図である。
【図３】本発明の少なくとも１つの実施形態による、検出期間中に粒子検出器内で発生する事象を粒子事象処理部に通知する例示的な方法のトップレベルフローチャートである。
【図４】本発明の少なくとも１つの実施形態による、検出期間中に粒子検出器内で発生する事象を粒子事象処理部に通知する粒子検出器を構成するために使用可能な例示的なコンピュータ読み取り可能な記憶媒体の概略図である。
【図５】本発明の少なくとも１つの実施形態による、圧縮されたセンサデータセットを格納し、およびセンサデータセットを評価するための要求の遂行に様々な評価技術を適用する例示的な粒子検出器の概略図である。
【図６】本発明の少なくとも１つの実施形態による、圧縮されたセンサデータセットを格納し、および粒子検出器の現在の粒子検出器の状態を考慮してフィルタの適応選択に基づいて粒子事象センサに選択されたデータセットフィルタを適用する例示的な粒子検出器の概略図である。
【図７】本発明の少なくとも１つの実施形態による、絶対事象時間記録のためのデータネットワークを介してクロックコンポーネントのセットを同期するように構成された粒子検出器設備機器の例示的なセットの概略図である。
【発明を実施するための形態】
【００１０】
Ａ．序言
物理学の分野内において、多くの種類の粒子検出器は素粒子物理学の研究に関連した１つ以上の事象の発生を開始、検出、監視、および記録するために構築されおよび維持される。検出期間中での各種センサによるそのような事象の検出はセンサデータセットを結果としてもたらしてもよく、放射性崩壊の間に様々な粒子および／またはエネルギー伝達を生成する放射性物質などのような慎重に準備された環境内で発生する１つ以上の事象の発生、頻度、場所、大きさ、タイミング、および／または因果関係を決定するために様々な評価技術により評価されてもよい。このような事象の研究は研究対象のシナリオの自然の材料、性質、環境条件、兆候を示す法則に関する豊富な情報を提供してもよい。
【００１１】
図１は事象１０４の評価を達成するために相互運用するように構成されるデバイスのセットを備える粒子検出器１０２を特徴とする例示的なシナリオ１００の図解である。粒子検出器１０２は、中性子１０８およびガンマ線１１０を生成する同位体の崩壊などのようなヘリウム同位体、およびそれに関連する事象１０４などのような、粒子検出器１０２内の種々の粒子１０６に関する様々なタイプのデータを記録する粒子事象センサ１１２を含む。粒子事象センサ１１２は、粒子事象センサおよび中性子１０８との間での衝突、およびヘリウム同位体の崩壊中に生成された粒子事象センサ１１２上でのガンマ線１１０の発生などのような、検出期間中に粒子検出器１０２内で生じる検出された事象１０４を表すセンサデータセット１１４を生成する。センサデータセット１１４は、ローカル通信バスまたは有線または無線ネットワークアダプタなどのような、通信チャネル１２２を介して評価のために粒子事象処理部１２４に送信される。
【００１２】
多くのこのような例示的なシナリオ１００において、評価は粒子検出器１０２を制御する使用可能な評価結果を得るために、例えば反応の進行を監視するために、および／または粒子事象センサ１１２の監視パラメータを適応的に調整するフィードバック機構として、粒子事象処理部１２４により準リアルタイム方式でしばしば実行される。しかしながら、センサデータセット１１４の量が原因で難点が生じることがある、例えばいくつかの粒子検出器１０２はセンサデータセット１１４に同時に寄与する多数の粒子事象センサ１１２を、および／または大量の生成されたデータを必然的に伴う高解像度データを含むことがある。準リアルタイムでそのような膨大なデータを評価することは粒子事象処理部１２４にとっては困難であり得、およびいくつかの状況において、通信チャネル１２２を介して膨大なセンサデータセット１１４を粒子事象処理部１２４に送信することさえも困難である（例えば、データ生成率は通信チャネル１２２の帯域幅を超えることがあり、したがって直線的に増大するであろう伝送遅延を引き起こす）。そのようなロジスティクス（センサデータセットの生成および伝送）は粒子事象処理部１２４によるセンサデータセット１１４の準リアルタイム処理に干渉する場合がある。
【００１３】
いくつかの技術はこれらの制限を考慮してセンサデータセット１１４を粒子事象処理部１２４に送信するために利用されてもよい。
【００１４】
第１の例としては、補足的なハードウェアの追加によるなどの、通信チャネル１２２の容量および／または粒子事象処理部１２４の計算能力である。しかしながら、そのような補足的なハードウェアはコストおよび／または複雑性を増加させ得、および／または粒子検出器１０２の効率および／または信頼性を低下させ得、およびいくつかの評価技術はこのような並列化には適していない可能性がある。
【００１５】
第２の例として、および図１の例示的なシナリオ１００に示すように、事象フィルタ１１６はセンサデータセット１１４に適用されてもよく、フィルタ技術１１８はより重要であるセンサデータセット１１４の部分の識別および選択を可能にし、および／または重要でないセンサデータセット１１４の部分の除去を可能にする。例えば、研究者は中性子１０８の検出を伴う事象１０４を評価することにのみ興味があり、他のタイプの粒子１０６、またはガンマ線１１０などのようなエネルギーの放出を伴う事象１０４を評価することを望まない可能性がある。
【００１６】
このような制限を考慮すると、粒子検出器１０２は１つ以上のフィルタ技術１１８をセンサデータセット１１４に適用する事象フィルタ１１６を含んでいてもよく、およびしたがって有意に少量なデータを伴う重要な事象１０４のみを表すフィルタリングされたセンサデータセット１２０を生成する。そのような一例として、ハイパスフィルタリングを行う回路は通信チャネル１２２に送信する前のデータ経路内に配置されてもよい。フィルタリングされたセンサデータセット１２０は次に準リアルタイム処理のために通信チャネル１２２を介して粒子事象処理部１２４に適切に送信されてもよく、それによって粒子事象評価の効率を高める。
【００１７】
図１の例示的なシナリオ１００におけるフィルタリングの使用がセンサデータセット１１４の準リアルタイム処理を可能にしてもよいのと同時に、いくつかの欠点がこのようなフィルタリングの適用から生じる可能性がある。
【００１８】
第１の例として、このようなアーキテクチャは比較的簡単なおよび因果フィルタ技術１１８のみに適している場合があり、偽陽性および／または偽陰性の望ましくない度合いを示すことがあり得る。より複雑なフィルタ技術１１８は粒子事象処理部１２４による準リアルタイム処理に干渉することなくデータ経路にインラインで実装することは困難であり得る。
【００１９】
第２の例として、フィルタリングは重要である情報を削除し得、例えば粒子事象センサ１１２による中性子１０８の検出はガンマ線１１０の放出に因果的に関係し得、および粒子１０６により生成されるガンマ線１１０の発生を反映するセンサデータセット１１４の一部分のフィルタリング除去は事象１０４の評価を損なうおそれがあり得る。
【００２０】
第３の例として、フィルタ技術１１８は通信チャネル１２２を介する遅延のない伝送をおよび／または粒子事象処理部１２４による準リアルタイム処理を維持するためにデータの量を減らすことはいくつかの状況では不十分であり得、例えば中性子１０８を伴うセンサデータセット１１４の事象１０４の一部のみを保持するフィルタ技術１１８は多数の検出された中性子１０８の事象内のセンサデータセット１１４を備えるデータの量を削減することができない可能性がある。これらのおよび他の状況は粒子事象処理部１２４による事象１０４の準リアルタイム評価を満たすための事象フィルタ１１６の潜在的な不備を反映する。
【００２１】
Ｂ．本技術
図２は本明細書に提示の技術による粒子検出器２０２内で発生する事象２０４を粒子事象処理部２２４に通知する粒子検出器２０２の例示的なシナリオ２００を示す。この例示的なシナリオ２００において、粒子事象センサ２１２は検出期間中に粒子検出器２０２内で発生する事象２０４を検出し、および事象２０４を表すセンサデータセット２１４を生成する。データセット送信機２２６は圧縮されたセンサデータセット２３０を生成するために波形圧縮技術２２８でセンサデータセット２１４を圧縮し、および圧縮されたセンサデータセット２３０を粒子事象処理部２２４に送信する（例えば、ローカル通信バスまたは有線または無線ネットワークアダプタなどのような通信チャネル２２２を使用して）。
【００２２】
この例示的なシナリオ２００における波形圧縮技術２２８でのセンサデータセット２１４の圧縮は、図１の例示的なシナリオ１００を含む他のシナリオに関して様々な利点を提供してもよい。
【００２３】
第１のそのような例として、多くの種類の波形圧縮技術が利用可能でありセンサデータセットへの適用のために選択されてもよく、このような波形圧縮技術はよく理解されおよび／または高度に最適化された実装として既に存在していてもよい。例えば、離散コサイン変換（ＤＣＴ）の多くの変形は波形圧縮技術としてデータセット送信機による使用のために利用可能であってもよい。
【００２４】
第２のそのような例として、粒子事象センサにより生成されたデータのタイプは様々な波形圧縮技術での許容可能な圧縮に適しており、準リアルタイムで圧縮されたセンサデータセットを送信することが可能であってもよく、準リアルタイムで圧縮されていないセンサデータセットを送信することができない通信チャネルを介した伝送を可能にする有意な圧縮比での圧縮されたセンサデータセットを結果としてもたらしてもよい。
【００２５】
第３のそのような例として、多くの波形圧縮技術はセンサデータセットの無損失またはほぼ無損失な表現を実現し、圧縮されたセンサデータセットのその後の伸長はもともと粒子事象センサにより生成されたセンサデータセットのそのままのまたはほぼ完全な再構成を生成する。
【００２６】
第４のそのような例として、多くの波形圧縮技術は比較的効率的な方法で適用可能であり、およびこのようにセンサデータセットのデータ経路内でのインラインのアプリケーションに適している。したがってこのような効率性は特定の目的または機能に特化しないソフトウェアおよびハードウェアによる持続的準リアルタイム処理に適した方法でセンサデータセットの連続的な圧縮、および必要に応じて伸長を可能にする。
【００２７】
第５のそのような例として、多くの波形圧縮技術はストリーミングおよび／または連続的に適用可能であり、およびしたがって１つのユニットとして提供されるセンサデータセット全体への適用により適している他の圧縮技術とは対照的に、漸増的にストリーミングセンサデータセットに適用されてもよい。これらのおよび他の利点は本明細書に提示された技術によって粒子事象処理部への伝送のための圧縮されたセンサデータセットを生成する波形圧縮技術の使用に起因してもよい。
【００２８】
Ｃ．例示的実施形態
図２の例示的なシナリオ２００は、検出期間中に粒子検出器２０２内で発生する事象２０４を粒子事象処理部２２４に通知する例示的なシステムとして示される、本明細書に提示される技術の一実施形態を提供する。例示的なシステムは検出期間中に粒子検出器２０２内で発生する事象２０４を表すセンサデータセット２１４を生成する粒子事象センサ２１２を含む。例示的なシステムはまた圧縮されたセンサデータセット２３０を生成するためにセンサデータセット２１４を波形圧縮技術２２８で圧縮し、圧縮されたセンサデータセット２３０を粒子事象処理部２２４に送信するデータセット送信機２２６を含む。
【００２９】
図３は検出期間中に粒子検出器内で発生する事象を粒子事象処理部に通知する例示的な方法３００として示される、本明細書に提示される技術の一実施形態を示すフローチャートの図解である。例示的な方法３００は、例えば粒子検出器２０２の処理部上で実行される命令として、粒子検出器２０２内で動作する回路として、またはそれらの組み合わせなどとして実装されてもよい。例示的な方法３００は３３２で開始し、および粒子事象センサにより検出され、および検出期間中に粒子検出器内で発生する事象を表すセンサデータセットを生成すること３３４を含む。例示的な方法３００はまた圧縮されたセンサデータセットを生成するために波形圧縮技術でセンサデータセットを圧縮すること３３６を含む。例示的な方法３００はまた圧縮されたセンサデータセットを粒子事象処理部に送信すること３３８を含む。粒子検出器内で発生する事象を粒子事象処理部に通知することを達成し、例示的な方法３００はこのように３４０で終了する。
【００３０】
本明細書に提示される技術の実施形態は本明細書に提示される技術を利用する粒子検出器を動作させることに使用可能なコンピュータ読み取り可能な記憶媒体を含でいてもよい。このようなコンピュータ読み取り可能な記憶媒体は、デバイスの処理部により実行される際に、本明細書で提示される技術を実装するデバイスを動作させるコンピュータ読み取り可能な命令のセットをエンコーディングする、例えばメモリ半導体（例えば、スタティックランダムアクセスメモリ（ＳＲＡＭ）、ダイナミックランダムアクセスメモリ（ＤＲＡＭ）、および／または同期ダイナミックランダムアクセスメモリ（ＳＤＲＡＭ）技術を利用した半導体）、ハードディスクドライブのプラッタ、フラッシュメモリデバイス、または磁気または光ディスク（ＣＤ−Ｒ、ＤＶＤ−Ｒ、またはフロッピー（登録商標）ディスクなど）などのような有形のデバイスを含むコンピュータ読み取り可能な記憶媒体などを含んでいてもよい。このようなコンピュータ読み取り可能な媒体はまた、デバイスの処理部により実行される際に、本明細書に提示される技術を実装するデバイスを動作させるコンピュータ読み取り可能な命令のセットをエンコードする、様々な物理現象（例えば、電磁信号、音響波信号、または光信号）を介して伝播することができる信号、および様々な有線シナリオ（例えば、イーサネット（登録商標）または光ファイバーケーブルを介して）、および／または無線シナリオ（例えば、ＷｉＦｉなどの無線ローカルエリアネットワーク（ＷＬＡＮ）、ブルートゥースなどのパーソナルエリアネットワーク（ＰＡＮ）またはセルラまたは無線ネットワーク）などの様々なタイプの通信媒体を（コンピュータ読み取り可能な記憶媒体とは区別される技術の種類として）含んでいてもよい。
【００３１】
図４は例示的な不揮発性コンピュータ読み取り可能な記憶デバイス４４２（例えば、ＣＤ−Ｒ、ＤＶＤ−Ｒ、またはハードディスクドライブのプラッタ）を含み、その上に符号化されたコンピュータ読み取り可能なデータ４４４が存する、コンピュータ読み取り可能な記憶媒体の実施形態の図解である。このコンピュータ読み取り可能なデータ４４４は本明細書に提示の技術の実施形態４４８として動作するように構成されたコンピュータ命令４４６のセットを順に含む。このような一実施形態では、処理部実行可能命令４４６は、粒子検出器４０２の処理部４５０上で実行される際に、図２の例示的なシナリオ２００に示される例示的なシステムなどのような、粒子検出器４０２内で発生する事象を粒子事象処理部に通知するためのシステムを粒子検出器４０２に実装させるように構成されてもよい。このような一実施形態では、処理部実行可能命令４４６は図３に示される例示的な方法３００などのような、粒子検出器４０２内で発生する事象を粒子事象処理部に通知する方法を利用する。本明細書に提示される技術によって動作するように構成される多くのこのようなコンピュータ読み取り可能な媒体は当業者により考案されてもよい。
【００３２】
Ｄ．変更・修正
本明細書で説明する技術は多くの態様の変更で考案されてもよく、およびいくつかの変更はこれらのおよび他の技術の他の変更に関してさらなる利点を提示し、および／または欠点を減少させてもよい。さらに、いくつかの変更を組み合わせて実装してもよく、およびいくつかの組み合わせは相乗的な連携を通じてさらなる利点および／または減少された欠点を特徴としてもよい。変更はこのような実施形態に応じて個々のおよび／または相乗的な利点を付与するために種々の実施形態（例えば、図３の例示的なシステム、図４の例示的な方法、および／または図５の例示的なコンピュータ読み取り可能な記憶媒体）に組み込まれてもよい。
【００３３】
Ｄ１．シナリオ
これら技術の実施形態の間で異なっていてもよい第１の態様はこのような技術が利用されてもよいシナリオに関する。
【００３４】
この第１の態様の第１の変更として、技術はサイクロトロン施設、シンクロトロン放射施設、電子／陽電子加速器および／またはコライダー（衝突型加速器）施設、電子／陽子加速器および／またはコライダー施設、およびハドロン加速器および／またはコライダー施設などの多くの種類の粒子検出器の中で利用されてもよい。粒子検出器は、建物全体が装置および／または器具を含む、および／または２つまたはそれ以上の建物の集合である、建物内で一緒に相互運用する装置および／または器具のセットであってもよく、一緒にグループ化されるおよび／または地理的に離れたものでもよい。技術はまた一緒に粒子検出機能を含む少なくとも２つの建物の設備機器間で実行されてもよい（例えば、通信バスで接続された建物）。
【００３５】
この第１の態様の第２の変更として、技術はビームモニタコンポーネント、中性子計測器コンポーネント、中性子チョッパーコンポーネント、原子炉コンポーネント、および粒子加速器コンポーネントなどの様々なタイプの粒子検出器コンポーネントを含む粒子検出器で利用されてもよい。このような粒子検出器コンポーネントはまたユーザのワークステーション装置、サーバ設備機器、およびノートブックコンピュータ、タブレット、電話などのポータブルユーザコンピューティングデバイスなどの様々なタイプのコンピューティングデバイスを含んでいてもよい。粒子検出器などのようなコンポーネントはまたネットワークコンポーネント（例えば、ネットワークアダプタ、ルータ、スイッチ、ハブ、およびモデム）などの粒子検出器インフラデバイス、および／または電源、空調、水、通信、自動化、監視、および工業プロセスの制御を可能にする施設監視制御およびデータ収集（ＳＣＡＤＡ）コンポーネントなどのようなインフラおよび産業用制御コンポーネントを含んでいてもよい。
【００３６】
この第１の態様の第３の変更として、粒子検出器のコンポーネントは物理的なケーブルおよび／または無線通信周波数などのような様々なタイプの有線および／または無線通信チャネルを使用して相互運用されてもよい。このような通信チャネルはまたイーサネット（登録商標）、インフィニバンド、ファイバチャネル、ＷｉＦｉ、ブルートゥース、およびセルラ通信、および／または伝送制御プロトコル（ＴＣＰ）、ユーザデータグラムプロトコル（ＵＤＰ）、および／またはインターネットプロトコル（ＩＰ）などの変形などのような様々なタイプのネットワークプロトコルなどの様々なネットワーク技術を利用してもよい。粒子検出器におけるこれらおよび他の変更は本明細書に提示される技術と互換性がある。
【００３７】
Ｄ２．センサデータセットの処理
本明細書で提示される技術の実施形態の間で異なっていてもよい第２の態様はセンサデータセットの処理および使用を含む。
【００３８】
この第２の態様の第１の変更として、粒子事象処理部は受信時に、例えば準リアルタイムで速やかにセンサデータセットを伸長しおよびセンサデータセットを評価することにより、センサデータセットを速やかに利用してもよい。代替的にまたは付加的に、粒子事象センサは後の評価のためにセンサデータセットの一部またはすべてをデータストアに格納してもよい。加えて、粒子事象センサはセンサデータセットをデータストアに格納する前に先ず伸長してもよく、および／または圧縮されたセンサデータを後での伸長および評価のために格納してもよい。
【００３９】
この第２の態様の第２の変更として、様々なタイプの評価がセンサデータセットに適用されてもよい。例えば、センサデータセットはウェーブレット変換技術、ゼロ交差時間変換技術、パルス幅比技術、立ち上がり時間解析技術、電苛時間積分技術、崩壊時間技術、パターン認識技術、基準パルス比較技術、および人工ニューラルネットワーク技術を備える事象評価技術のセットから選択された少なくとも１つの事象評価技術を用いて評価されてもよい。このような一例として、粒子事象処理部は、事象タイプが中性子パルス事象タイプ、およびガンマパルス事象タイプを備える事象タイプのセットから選択された、それぞれの事象の事象タイプを決定してもよい。
【００４０】
図５はこの第２の態様のいくつかのこのような変更によるセンサデータセット５１４を格納および利用する粒子検出器５０２を特徴とする例示的なシナリオ５００の図解を示す。この例示的なシナリオ５００では、図２の例示的なシナリオ２００で先に示したのと同様に、粒子検出器５０２は粒子検出器５０２内で生じた１つ以上の事象５０４を表すセンサデータセット５１４を生成する粒子事象センサ５１２、および圧縮されたセンサデータセット５３０を生成するために波形圧縮技術５２８をセンサデータセット５１４に適用し、および圧縮されたセンサデータセット５３０を粒子事象処理部５２４に送信するデータセット送信機５２６を含む。この例示的なシナリオ５００では、粒子検出器５０２はまた、圧縮されたセンサデータセット５３０の受信時に、圧縮されたセンサデータセット５３０を格納するデータストア５５２を含む。加えて、粒子事象処理部５２４は、検出期間中に粒子検出器５０２内に発生する事象５０４を識別するための要求５５４の受信時に、データストア５５２から圧縮されたセンサデータセット５３０を検索し、波形圧縮技術５２８を使用して、粒子事象センサ５１２により生成されたセンサデータセット５１４を取得するために圧縮されたセンサデータセット５３０を伸張し、および検出期間中に粒子検出器５０２内に発生する事象５０４を識別するためにセンサデータセット５１４に１つ以上の事象評価技術５５６を適用する。
【００４１】
この第２の態様の第３の変更として、様々なタイプのフィルタリングが後続する伸長のセンサデータセットに適用されてもよい。例えば、粒子事象処理部は、第２の事象タイプのそれぞれの事象（例えば、ガンマパルス事象タイプ）のための第２の事象タイプの事象のための第２のセンサデータセット部分を除外する一方、第１の事象タイプのそれぞれの事象（例えば、中性子パルス事象タイプ）のための第１の事象タイプの事象のための第１のセンサデータセット部分を含むフィルタリングされたセンサデータセットをセンサデータセットから生成してもよい。
【００４２】
この第２の態様のこの第３の変更のさらに別の例として、粒子事象処理部は少なくとも２つのデータセットフィルタを備えるデータセットフィルタセットから選択されたデータセットフィルタでセンサデータセットをフィルタリングしてもよい。実施形態では、粒子事象処理部は粒子検出器の少なくとも１つの粒子検出器の状態（例えば、粒子エネルギーレベル状態、または放射線流入速度状態）で関連付けられている各データセットのフィルタを関連付けることによりフィルタリングによってデータセットを適応的にフィルタリングする。粒子検出器は、粒子事象センサで事象を検出しながら、現在の粒子検出器の状態を検出し、現在の粒子検出器の状態に関連付けられている選択されたデータセットフィルタをデータセットフィルタセットから選択してもよい。
【００４３】
図６は本明細書に提示の技術によるセンサデータセット６１４の適応フィルタリングを特徴とする例示的なシナリオ６００の図解である。この例示的なシナリオ６００では、図２の例示的なシナリオ２００で先に示したのと同様に、センサデータセット６１４は粒子検出器６０２内で発生する１つ以上の事象を表して生成される。データセット送信機６２６は圧縮されたセンサデータセット６３０を生成するために波形圧縮技術６２８をセンサデータセット６１４に適用し、および圧縮されたセンサデータセット６３０を粒子事象処理部６２４に送信する。この例示的なシナリオ６００では、粒子事象処理部６２４はまたデータセットフィルタセット６５８を含み、それぞれが粒子検出器の状態６６２に関連する少なくとも２つのデータセットフィルタ６６０を含む。データセットフィルタセレクタ６６６は粒子検出器６０２の現在の粒子検出器の状態６６４を検出してもよく、および選択されたデータセットフィルタ６６８を選択するために現在の粒子検出器の状態６６４を様々なデータセットフィルタ６６０に関連付けられた粒子検出器の状態６６２と比較してもよい。選択されたデータセットフィルタ６６８は次にフィルタリングされたセンサデータセット６２０を生成するためにセンサデータセット６１４に適用される。このように、センサデータセット６１４は粒子事象処理部６２４によるセンサデータセット６１４の順リアルタイム処理を可能にする、通信チャネル６２２を介して送信の前に両方とも圧縮され、およびまた粒子検出器６０２の現在の粒子検出器の条件６６４に応じて適応的にフィルタリングされる。
【００４４】
Ｅ．コンピューティング環境
図７および以下の議論は本明細書に記載の１つ以上の規定の実施形態を実施するための適切なコンピューティング環境の簡潔で一般的な説明を提供する。図７の動作環境は適切な動作環境の一例に過ぎず、および動作環境の使用または機能の範囲に関する限定を示唆することを意図するものではない。例示的なコンピューティングデバイスは、これらに限定されないが、パーソナルコンピュータ、サーバコンピュータ、ハンドヘルドまたはラップトップデバイス、モバイルデバイス（携帯電話、携帯情報端末（ＰＤＡ）、メディアプレーヤ等）、マルチプロセッサシステム、家庭用電化製品、ミニコンピュータ、メインフレームコンピュータ、上記のシステムまたはデバイスのいずれかを含む分散コンピューティング環境等を含む。
【００４５】
必須ではないが、実施形態は１つ以上のコンピューティングデバイスにより実行される「コンピュータ読み取り可能な命令」の一般的な文脈で説明されている。コンピュータ読み取り可能な命令はコンピュータ読み取り可能な媒体を介して配布されてもよい（後述）。コンピュータ読み取り可能な命令は関数、オブジェクト、アプリケーションプログラミングインタフェース（ＡＰＩ）、データ構造等のようなプログラムモジュールとして実装されてもよく、特定のタスクを実行するかまたは特定の抽象データ型を実装する。典型的に、コンピュータ読み取り可能な命令の機能性は様々な環境において必要に応じて組み合わせるまたは分散させてもよい。
【００４６】
図７は本明細書において提供される１つ以上の実施形態を実装するように構成されたコンピューティングデバイス７７０を含む例示的なシステム７００を示す。一構成では、コンピューティングデバイス７７０は少なくとも１つの処理ユニット７７４およびメモリ７７６を特徴とするデバイスコンフィギュレーション７７４を含む。コンピューティングデバイスの正確な構成およびタイプに応じて、メモリ７７６は揮発性（例えば、ＲＡＭなど）、不揮発性（例えば、ＲＯＭ、フラッシュメモリなど）、またはこの２つのいくつかの組み合わせであってもよい。この構成は図７に破線により示されている。
【００４７】
他の実施形態では、デバイス７７０は追加の特徴および／または機能を含んでいてもよい。例えば、デバイス７７０はまた、これらに限定されないが、磁気記憶、光学記憶などを含む追加のストレージ（例えば、リムーバブルおよび／または非リムーバブル）を含んでいてもよい。このような追加のストレージは図７にストレージ７７８により示されている。一実施形態では、本明細書に提供される１つ以上の実施形態を実装するコンピュータ読み取り可能な命令はストレージ７７８内にあってもよい。ストレージ７７８はまたオペレーティングシステム、アプリケーションプログラム等を実装する他のコンピュータ読み取り可能な命令を格納してもよい。例えば、コンピュータ読み取り可能な命令は処理ユニット７７４による実行のためにメモリ７７６にロードされてもよい。
【００４８】
本明細書で使用される用語「コンピュータ読み取り可能な媒体」はコンピュータ読み取り可能な記憶デバイスを含む。このようなコンピュータ読み取り可能な記憶デバイスは揮発性および／または不揮発性、リムーバブルおよび／または非リムーバブルであってもよく、およびコンピュータ読み取り可能な命令または他のデータを格納する様々なタイプの物理デバイスを含んでいてもよい。メモリ７７６およびストレージ７７８はコンピュータ記憶媒体の例である。コンピュータストレージデバイスは、これらに限定されないが、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）、または他の光学ストレージ、磁気カセット、磁気テープ、および磁気ディスクストレージまたは他の磁気記憶デバイスを含む。
【００４９】
デバイス７７０はまたデバイス７７０が他のデバイスと通信することを可能にする通信接続７８４を含んでいてもよい。通信接続７８４は、これらに限定されないが、モデム、ネットワークインタフェースカード（ＮＩＣ）、統合ネットワークインタフェース、無線周波数送信機／受信機、赤外線ポート、ＵＳＢ接続、またはコンピューティングデバイス７７０を他のコンピューティングデバイスに接続する他のインタフェースを含んでいてもよい。通信接続７８４は有線接続または無線接続を含んでいてもよい。通信接続７８４は通信媒体を送信および／または受信してもよい。
【００５０】
用語「コンピュータ読み取り可能な媒体」は通信媒体を含んでいてもよい。通信媒体は典型的に搬送波または他の搬送機構などの「変調データ信号」内のコンピュータ読み取り可能な命令または他のデータを具現化し、および任意の情報配信媒体を含む。用語「変調データ信号」は信号内の情報を符号化するように設定または変更された１つ以上の特性を有する信号を含んでいてもよい。
【００５１】
デバイス７７０はキーボード、マウス、ペン、音声入力デバイス、タッチ入力デバイス、赤外線カメラ、ビデオ入力デバイス、および／または任意の他の入力デバイスなどのような入力デバイス７８２を含んでいてもよい。１つ以上のディスプレイ、スピーカ、プリンタ、および／または任意の他の出力デバイスなどのような出力デバイス７８０はまたデバイス７７０に含まれてもよい。入力デバイス７８２および出力デバイス７８０は有線接続、無線接続、またはそれらの任意の組み合わせを介してデバイス７７０に接続されてもよい。一実施形態では、他のコンピューティングデバイスからの入力デバイスまたは出力デバイスはコンピューティングデバイス７７０用の入力デバイス７８２または出力デバイス７８０として使用されてもよい。
【００５２】
コンピューティングデバイス７７０のコンポーネントはバスなどのような様々な相互接続により接続されてもよい。このような相互接続はＰＣＩエクスプレス、ユニバーサルシリアルバス（ＵＳＢ）、ファイヤワイヤ（ＩＥＥＥ１３９４）、光バス構造等などのような周辺コンポーネント相互接続（ＰＣＩ）を含んでいてもよい。別の実施形態では、コンピューティングデバイス７７０のコンポーネントはネットワークにより相互接続されてもよい。例えば、メモリ７７６はネットワークにより相互接続された物理的に異なる場所に位置する複数の物理メモリユニットを含んでいてもよい。
【００５３】
当業者であればコンピュータ読み取り可能な命令を格納するのに利用される記憶デバイスはネットワーク上に分散されてもよいことに気付くであろう。例えば、ネットワーク７８６を介してアクセス可能なコンピューティングデバイス７８８は本明細書で提供される１つ以上の実施形態を実装するコンピュータ読み取り可能な命令を格納してもよい。コンピューティングデバイス７７０はコンピューティングデバイス７８８にアクセスし、および実行のためにコンピュータ読み取り可能な命令の一部またはすべてをダウンロードしてもよい。代替的に、コンピューティングデバイス７７０は必要に応じてコンピュータ読み取り可能な命令の断片部をダウンロードしてもよく、またはいくつかの命令はコンピューティングデバイス７７０でおよびいくつかはコンピューティングデバイス７８８で実行されてもよい。
【００５４】
Ｆ．用語の使用
図面で示した実施形態または実施例は特定の言語を使用して以下に開示されている。これらの実施例は最良の形態を含む本発明を開示するために提供され、およびまた任意のデバイスまたはシステムを製作しかつ使用すること、および任意の組込み方法を実行することを含む本発明を当業者に実施可能とする。実施形態または実施例は限定を意図するものではない。本発明の特許性のある範囲は特許請求の範囲により定義され、および当業者が想到するその他の実施例を含んでいてもよい。このような他の実施例はそれらが特許請求の範囲の文言と異ならない構造要素を有する場合、またはそれらが特許請求の範囲の文言と実質的でない差を有する等価な構造要素を含む場合、特許請求の範囲の範囲内にあることが意図される。開示された実施形態における任意の変更および修正、および本書に開示される原理の任意のさらなる応用は関連技術の当業者が通常想到するものとして熟慮される。
【００５５】
主題は構造的特徴および／または方法論的動作に特有の言語で説明されてきたが、添付の特許請求の範囲の主題は必ずしも上述の特定の特徴または動作に限定されないことを理解すべきである。むしろ、上述の特定の特徴および動作は特許請求の範囲を実装する例示的形態として開示されている。
【００５６】
本出願で使用されるように、用語「コンポーネント」、「モジュール」、「システム」、「インタフェース」等はコンピュータ関連のエンティティ、ハードウェア、ハードウェアおよびソフトウェアの組み合わせ、ソフトウェア、または実行中のソフトウェアのどちらかを指すことが一般に意図される。例えば、コンポーネントは、これらであることに限定されないが、処理部上で実行中のプロセス、処理部、オブジェクト、実行ファイル、実行スレッド、プログラム、および／またはコンピュータであってもよい。例示のために、コントローラ上で実行中のアプリケーションおよびコントローラの両方はコンポーネントであり得る。１つ以上のコンポーネントはプロセスおよび／または実行スレッド内に常駐してもよく、およびコンポーネントは１つのコンピュータ上に局在するおよび／または２つ以上のコンピュータ間に分散されてもよい。
【００５７】
さらに、請求される主題は、開示された主題を実装するコンピュータを制御するソフトウェア、ファームウェア、ハードウェアまたはそれらの任意の組み合わせを生産するための標準プログラミングおよび／またはエンジニアリング技術を使用した方法、装置、または物品として実装されてもよい。本明細書で使用される用語「製造物品」は任意のコンピュータ読み取り可能なデバイス、キャリア、または媒体からアクセス可能なコンピュータプログラムを包含することが意図される。もちろん、当業者は請求される主題の範囲または趣旨から逸脱することなく多くの変更がこの構成になされてもよいことを認識するであろう。
【００５８】
実施形態の様々な動作が本明細書で提供される。動作の一部または全部が記載される順序はこれらの動作が必ずしも順序に依存していることを意味すると解釈されるべきではない。代替的な順序はこの説明の便益を有する当業者により認識されるであろう。さらに、すべての動作が本明細書に提供される各実施形態に必ずしも存在するわけではないことが理解されるであろう。
【００５９】
本出願で使用されるように、「または」は排他的な「または」ではなく包括的な「または」を意味することが意図される。加えて、本出願で使用される「ａ」および「ａｎ」は特に指定されない、または単数形に指向される文脈から明らかでない限りは「１つ以上」を意味すると一般的に解釈される。また、ＡおよびＢの少なくとも一方および／または等はＡまたはＢまたはＡおよびＢの両方を一般的に意味する。さらに、「含む」、「有している」、「有する」、「〜で」、またはその変異形が詳細な説明若しくは特許請求の範囲で使用される限りにおいて、そのような用語は用語「備える」と同様に包括的であることが意図される。
【００６０】
また、１つ以上の実装に関して本開示が示され、および説明されてきたが、同等の変更および修正は本明細書および添付の図面の読解および理解に基づいて当業者が思い付くであろう。本開示はそのようなすべての修正および変更を含み、以下の特許請求の範囲によってのみ限定される。
【符号の説明】
【００６１】
１００、２００、５００、６００  例示的なシナリオ
１０２、２０２、４０２、５０２、６０２  粒子検出器
１０４、２０４、５０４  事象
１０６  粒子
１０８  中性子
１１０  ガンマ線
１１２、２１２、５１２  粒子事象センサ
１１４、１２０、２１４、２３０、５１４、５３０、６１４、６２０、６３０  センサデータセット
１１６  事象フィルタ
１１８  フィルタ技術
１２２、２２２、６２２  通信チャネル
１２４、２２４、５２４、６２４  粒子事象処理部
２２６、５２６、６２６  データセット送信機
２２８、５２８、６２８  波形圧縮技術
４４２  コンピュータ読み取り可能な記憶デバイス
４４４  コンピュータ読み取り可能なデータ
４４６  コンピュータ命令、処理部実行可能命令
４５０  処理部
５５２  データストア
５５４  要求
５５６  事象評価技術
６５８  データセットフィルタセット
６６０、６６８  データセットフィルタ
６６２、６６４  状態
６６６  データセットフィルタセレクタ
７００  システム
７７０、７８８  コンピューティングデバイス
７７４  処理ユニット、デバイスコンフィギュレーション
７７６  メモリ
７７８  ストレージ
７８６  ネットワーク
【図１】
2015187608.tif 000003
【図２】
2015187608.tif 000004
【図３】
2015187608.tif 000005
【図４】
2015187608.tif 000006
【図５】
2015187608.tif 000007
【図６】
2015187608.tif 000008
【図７】
2015187608.tif 000009
【外国語明細書】
2015187608000001.pdf